(57)【特許請求の範囲】
【請求項１】
ボタンの操作で湯水の吐水，止水の切り替えを可能にした止水機能付シャワーヘッドにおいて、該シャワーヘッドは内部の流路を仕切板により一次流路と二次流路とに区画し、二次流路と交差して穿設された貫通孔にボタンが摺動自在に貫挿され、該ボタンは仕切板と向かい合うように凹設された凹欠部に保持部材を収容し、ボタンと連繋した保持部材に、仕切板の通水孔を二次流路から開閉する止水弁及び該止水弁を閉鎖位置に押圧するスプリングを介在させ、前記止水弁及びスプリングは一次流路の水圧が、止水時に通水孔を閉鎖可能なスプリングの設定荷重以上に上昇すると、通水孔を開放する安全弁を兼用することを特徴とする止水機能付シャワーヘッド。
【発明の詳細な説明】
【０００１】
【発明の属する技術分野】
本発明は、ボタンの操作で湯水の吐水，止水の切り替えのできる止水機能付シャワーヘッドに関する。
【０００２】
【従来の技術】
従来、シャワーヘッドから吐水される湯水を水栓のハンドルでの開閉操作だけでなく、シャワーヘッドに設けたボタンの操作で吐水，止水の切り替えをできるようにしたものとして特開平７−２５９１５２号公報のものがある。このシャワーヘッドは吐水状態と止水状態に流路を切り替えるための弁とは別に、止水状態で弁室内部の水圧が上昇した場合に、弁室の圧力水を外部に逃がす安全弁を収容することで、シャワーヘッドで止水をした場合に過大な水圧がシャワーヘッドの内部部品に加わり破損することを防止できるものである。
【０００３】
上記のものにあっては、シャワーヘッドの弁室に流路切替用の弁とは別に新たに安全弁を収容しなければならないために、部品点数，組立工数が増加してコストが高くなるうえ、シャワーヘッドをコンパクトに形成することができない等の欠点を有していた。
【０００４】
【発明が解決しようとする課題】
本発明が解決しようとする課題は、シャワーヘッドで止水をする場合に、シャワーヘッド内部の水圧が上昇するのを防止する安全弁を、部品点数の少ない簡略な構造により提供することである。
【０００５】
【課題を解決するための手段】
本発明は、ボタンの操作で湯水の吐水，止水の切り替えを可能にした止水機能付シャワーヘッドにおいて、該シャワーヘッドは内部の流路を仕切板により一次流路と二次流路とに区画し、二次流路と交差して穿設された貫通孔にボタンが摺動自在に貫挿され、該ボタンは仕切板と向かい合うように凹設された凹欠部に保持部材を収容し、ボタンと連繋した保持部材に、仕切板の通水孔を二次流路から開閉する止水弁及び該止水弁を閉鎖位置に押圧するスプリングを介在させ、前記止水弁及びスプリングは一次流路の水圧が、止水時に通水孔を閉鎖可能なスプリングの設定荷重以上に上昇すると、通水孔を開放する安全弁を兼用するものである。
【０００６】
【発明の実施の形態】
以下、本発明の実施の形態を図に基づいて詳細に説明する。
この実施例は図１に示すように、シャワーヘッド１は合成樹脂からなり、浴室等の壁面に取り付けられた水栓２とホース４により連通してホルダー５に支持されており、水栓２とホース４の間には、ホース４及びシャワーヘッド１に対し給水源又は給湯源からの過大な圧力水が供給されることのないように圧力を低下させる従来周知の減圧弁６を装着している。
【０００７】
シャワーヘッド１は図２に示すように、使用者が手に持つ握り部７の先端に水密を確保するためのＯリング９を介してヘッド８を螺着して取り付け、該ヘッド８の先端に湯水を外部へ吐水する散水板１０を装着している。
【０００８】
前記ヘッド８は図３乃至図５に示すように、握り部７内部の湯水が通過する一次流路１１と連通する開口部１２及び二次流路１３を形成し、該二次流路１３と前記一次流路１１は開口部１２の内周面に螺着された固定具１４によって開口部１２内に固定された円筒状の仕切板１５により図面中上下に区画され、この仕切板１５の通水方向で中心から偏心した位置にシート１６を嵌着し、該シート１６に貫通した通水孔１７により一次流路１１と二次流路１３を連通させている。
【０００９】
シーソー式に両側から操作するボタン１８は、ヘッド８の二次流路１３と交差して穿設した貫通孔１９に摺動自在に貫挿され、図３乃至図５の図面中左右両側のうち、いずれか一方がヘッド８から外方へ露出する円筒状で、両端の環状溝２０に水密保持用のＯリング２１を嵌装し、前記仕切板１５と向かい合うように凹設した凹欠部２２には保持部材２３を収容し、該保持部材２３の内部にはスプリング２５を介在させ、該スプリング２５により仕切板１５と向かい合うボール状の止水弁２４を弾力的に押圧している。
【００１０】
前記止水弁２４はボタン１８の操作で仕切板１５上を水平方向へ移動し、図３では止水弁２４はシート１６の通水孔１７と向かい合い、スプリング２５の弾性力により通水孔１７を閉鎖しているので、湯水は一次流路１１から二次流路１３へ供給されない止水状態であり、図５ではボタン１８の操作で止水弁２４は保持部材２３と共に移動し、通水孔１７を開放するので一次流路１１と二次流路１３は連通し、湯水をヘッド８の散水板１０から外部へ吐水することができる。
【００１１】
前記止水弁２４は図３に示すように、ボタン１８を止水位置に操作すると通常はスプリング２５の弾性力によりシート１６に着座して通水孔１７を閉鎖しているが、何らかの理由により水栓２とホース４の間に装着した減圧弁６が故障して、一次流路１１の水圧が止水弁２４を押圧するスプリング２５の通水孔１７を閉鎖するために設定された荷重に打ち勝つほどに上昇すると、図４に示すように止水弁２４は上昇し、シート１６から離れて一次流路１１の湯水はシート１６の通水孔１７から二次流路１３に供給されて散水板１０から排水され、ホース４及びシャワーヘッド１内の過大な水圧の上昇を防止することができるものである。
【００１２】
従って、止水弁２４及びスプリング２５は安全弁としての役割を果たすことができ、ホース４の流路及びヘッド８の一次流路１１は一定の水圧以下に維持され、ホース４及びシャワーヘッド１に対し高圧力水が加わることにより発生する内部部品の破損や漏水等を防止することができる。
【００１３】
上記構成のシャワーヘッド１において、図３ではボタン１８と連繋した止水弁２４はシート１６の通水孔１７と上下に向かい合う位置にあり、スプリング２５の弾性力により下部に付勢され通水孔１７を閉鎖しているので、水栓２のハンドル３を吐水方向へ操作しても、湯水は握り部７の一次流路１１からヘッド８の二次流路１３へは供給されず、止水状態である。
【００１４】
この時、給水源又は給湯源からの過大な圧力水が供給されると、通常は水栓２とホース４の間に装着した減圧弁６によりホース４及びシャワーヘッド１へ供給される湯水を減圧するが、何らかの理由により減圧弁６が故障するとホース４及びシャワーヘッド１に過大な圧力水がそのまま供給される。そこで、シート１６の通水孔１７を閉鎖している止水弁２４は図４に示すように、通水孔１７を閉鎖するのに予め設定されたスプリング２５の付勢力に打ち勝つほどに、一次流路１１の圧力が上昇すると、一次流路１１の湯水は通水孔１７から二次流路１３へ供給され安全弁として機能し、散水板１０から外部へ排出される。
【００１５】
次にボタン１８のヘッド８から突出している側を押すと、図５に示すように止水弁２４は保持部材２３と共に水平方向へ移動して通水孔１７を開放し、一次流路１１と二次流路１３は通水孔１７により連通し、湯水はヘッド８の散水板１０から外部へ吐水される。
【００１６】
【発明の効果】
本発明においては、シャワーヘッドに設けたボタンの操作で止水を行い、水栓に連通するホース及びシャワーヘッドの一次流路の内圧が上昇した場合、通水孔を開閉して吐水，止水を切り替える止水弁がスプリングの設定された荷重に打ち勝ち通水孔を開放し、安全弁として機能し、一次流路の圧力水を外部へ排出することができる。従って、止水弁及びスプリングが安全弁を兼用するので、従来のように止水弁とは別に安全弁を設ける必要がなく、部品点数や組立工数などを増加させることなく、ホース及びシャワーヘッド内部の水圧上昇を防止でき、信頼性を向上させることができる。
【００１７】
また、シャワーヘッドは安全弁の機能を備えるため他の物品を加える必要がなく、外観形状を何ら変更することなくコンパクトに形成することができる。
【図面の簡単な説明】
【図１】ホースを介して水栓に連通したシャワーヘッドの側面図である。
【図２】シャワーヘッドの部分断面した平面図である。
【図３】シャワーヘッドの止水状態の部分平断面図である。
【図４】シャワーヘッドの水圧上昇時の部分平断面図である。
【図５】シャワーヘッドの吐水状態の部分平断面図である。
【符号の説明】
１                      シャワーヘッド
１１                    一次流路
１３                    二次流路
１５                    仕切板
１７                    通水孔
１８                    ボタン
２３                    保持部材
２４                    止水弁
２５                    スプリング
【図１】
0003688486.tif 000002
【図２】
0003688486.tif 000003
【図３】
0003688486.tif 000004
【図４】
0003688486.tif 000005
【図５】
0003688486.tif 000006